(57)【要約】【課題】  本発明は、情報提供方法、情報提供装置、情報提供方法のプログラム及び情報提供方法のプログラムを記録した記録媒体に関し、例えばコンピュータにおける画像ファイル等の管理に適用して、直感的に古さを把握することができるようにする。【解決手段】  本発明は、ファイル作成日等により情報の古さを示す古さの基準を検出し、この古さの基準により、古いもの程、古く感じるように設定してユーザーに情報を提供する。【選択図】        図１
2006268391.tif 000002
【特許請求の範囲】
【請求項１】
記録手段をアクセスして前記記録手段に記録された情報を提供する情報提供方法において、
前記情報の古さを示す古さの基準を検出する基準検出のステップと、
前記情報の古さを感じ取ることができるように、前記基準検出のステップで検出された前記古さの基準に基づいた設定により前記情報をユーザーに提供する情報提供のステップとを有する
ことを特徴とする情報提供方法。
【請求項２】
前記情報が、
画像ファイルによる情報であり、
前記情報提供のステップは、
前記画像ファイルをエフェクト処理するエフェクト処理のステップを有し、
前記情報提供のステップにおける前記古さの基準に基づいた設定が、
古い画像ファイル程、画質を劣化させる前記エフェクト処理に係るパラメータの設定である
ことを特徴とする請求項１に記載の情報提供方法。
【請求項３】
前記情報提供のステップによる情報の提供が、
複数の前記画像ファイルによる画像の一覧表示である
ことを特徴とする請求項２に記載の情報提供方法。
【請求項４】
前記情報が、
画像ファイルによる情報であり、
前記情報提供のステップにおける前記古さの基準に基づいた設定が、
前記画像ファイルによる画像の画角及び又は表示のフォーマットの設定である
ことを特徴とする請求項１に記載の情報提供方法。
【請求項５】
前記情報が、
１つのフォルダに属するファイル、又は１つのフォルダに属するファイル及びフォルダのアイコンによる情報であり、
前記情報提供のステップは、
前記アイコンの画像をエフェクト処理するエフェクト処理のステップを有し、
前記情報提供のステップにおける前記古さの基準に基づいた設定が、
古いファイル、フォルダのアイコン程、画質を劣化させる前記エフェクト処理に係るパラメータの設定である
ことを特徴とする請求項１に記載の情報提供方法。
【請求項６】
前記情報が、
ネットワーク上に設けられた検索のホームページによる検索結果の情報であり、
前記情報提供のステップにおける前記古さの基準に基づいた設定が、
前記検索結果の表示の設定である
ことを特徴とする請求項１に記載の情報提供方法。
【請求項７】
前記情報が、
ネットワークを介して入力される検索条件により検索した検索結果の情報であり、
前記情報提供のステップにおける前記古さの基準に基づいた設定が、
前記検索結果の表示の設定であり、
前記情報提供のステップにおける前記情報をユーザーに提供する処理が、
前記検索条件を指示した機器を送信先に設定して前記ネットワークに前記情報を送出する処理である
ことを特徴とする請求項１に記載の情報提供方法。
【請求項８】
前記情報が、
音楽ファイルの情報であり、
前記情報提供のステップは、
前記音楽ファイルをエフェクト処理するエフェクト処理のステップを有し、
前記情報提供のステップにおける前記古さの基準に基づいた設定が、
古い音楽ファイル程、音質を劣化させる前記エフェクト処理に係るパラメータの設定である
ことを特徴とする請求項１に記載の情報提供方法。
【請求項９】
前記情報が、
音楽ファイルの情報であり、
前記情報提供のステップにおける前記古さの基準に基づいた設定が、
前記音楽ファイルを再生するフォーマットの設定である
ことを特徴とする請求項１に記載の情報提供方法。
【請求項１０】
前記情報が、
動画ファイルの情報であり、
前記情報提供のステップは、
前記動画ファイルをエフェクト処理するエフェクト処理のステップを有し、
前記情報提供のステップにおける前記古さの基準に基づいた設定が、
古い動画ファイル程、画質を劣化させる前記エフェクト処理に係るパラメータの設定である
ことを特徴とする請求項１に記載の情報提供方法。
【請求項１１】
前記情報が、
動画ファイルの情報であり、
前記情報提供のステップにおける前記古さの基準に基づいた設定が、
前記画像ファイルによる画像の画角及び又は表示のフォーマットの設定である
ことを特徴とする請求項１に記載の情報提供方法。
【請求項１２】
ユーザーの趣味、嗜好に合致する程度を検出するステップを有し、
前記情報提供のステップは、
前記ユーザーの趣味、嗜好に合致する程度に応じて、前記エフェクト処理に係るパラメータを補正して前記動画ファイルを処理する
ことを特徴とする請求項１０に記載の情報提供方法。
【請求項１３】
前記動画ファイルの再生回数を検出するステップを有し、
前記情報提供のステップは、
前記再生回数が一定回数を越える動画ファイルについてのみ、前記情報の古さを感じ取ることができるように設定する
ことを特徴とする請求項１０に記載の情報提供方法。
【請求項１４】
前記情報提供のステップにおける前記情報をユーザーに提供する処理が、
複数種類のフォーマットの伝送路のうちの何れかの伝送路に前記情報を送出する処理であり、
前記情報提供のステップにおける前記古さの基準に基づいた設定が、
前記情報を送出する伝送路の設定である
ことを特徴とする請求項１に記載の情報提供方法。
【請求項１５】
前記情報が、
ファイルの情報であり、
前記古さの基準が、前記ファイルのファイル作成日、前記ファイルの記録媒体へのファイル記録日、又は前記ファイルのファイル更新日である
ことを特徴とする請求項１に記載の情報提供方法。
【請求項１６】
前記情報が、
ネットワーク上に設けられた検索のホームページによる検索結果の情報であり、
前記古さの基準が、
前記検索に供するデータベースにおいて、各検索結果が更新された日にちである
ことを特徴とする請求項１に記載の情報提供方法。
【請求項１７】
前記情報が、
記録媒体に記録された情報であり、
前記基準検出のステップは、
前記記録媒体のフォーマットにより、前記古さの基準を検出する
ことを特徴とする請求項１に記載の情報提供方法。
【請求項１８】
記録手段をアクセスして前記記録手段に記録された情報を提供する情報提供装置において、
前記情報に係る古さを示す古さの基準を検出する基準検出部と、
前記情報の古さを感じ取ることができるように、前記基準検出部で検出された前記古さの基準に基づいた設定により前記情報をユーザーに提供する情報提供部と
を備えることを特徴とする情報提供装置。
【請求項１９】
記録手段をアクセスして前記記録手段に記録された情報を提供する情報提供方法のプログラムにおいて、
前記情報に係る古さを示す古さの基準を検出する基準検出のステップと、
前記情報の古さを感じ取ることができるように、前記基準検出のステップで検出された前記古さの基準に基づいた設定により前記情報をユーザーに提供する情報提供のステップとを有する
ことを特徴とする情報提供方法のプログラム。
【請求項２０】
請求項１９に記載の情報提供方法のプログラムを記録した
ことを特徴とする情報提供方法のプログラムを記録した記録媒体。
【発明の詳細な説明】
【技術分野】
【０００１】
本発明は、情報提供方法、情報提供装置、情報提供方法のプログラム及び情報提供方法のプログラムを記録した記録媒体に関し、例えばコンピュータにおける画像ファイル等の管理に適用することができる。本発明は、ファイル作成日等により情報の古さを示す古さの基準を検出し、この古さの基準により、古いもの程、古く感じるように設定してユーザーに情報を提供することにより、直感的に古さを把握することができるようにする。
【背景技術】
【０００２】
近年、各種記録媒体は、記録容量が飛躍的に増大し、このため各種ファイルを記録、再生する装置では、記録媒体に記録したファイルの管理方法が種々に工夫されている。すなわち例えば電子スチルカメラでは、撮影日によりフォルダ、ファイル名を作成し、これによりフォルダ、ファイル名により画像ファイルを管理できるように工夫されている。またコンピュータでは、ファイル管理システムにより各ファイルのファイル名等を記録し、またこのファイル管理システムによるファイル名の記録を利用して所望するファイルを検索する機能が設けられている。
【０００３】
このようなファイル管理に関して、例えば特開２００１−７５９９５号公報には、画像ファイルに関して、生成履歴を記録し、時間情報によりこの生成履歴を検索する方法が提案されている。またインデックス用のサムネイル画像、音楽のイントロ等をユーザーに提供して所望するファイルを検出可能とする方法も提案されている。
【０００４】
ところで銀塩写真によるプリントにあっては、一般に、退色等による古さ加減により、昔に撮影した写真であることを把握することができる。これにより例えば多数の風景写真から昔の思い出の写真を直感的に見つけ出すことができる。
【０００５】
これにより記録媒体に記録した各種のファイル、コンテンツ等についても、同様に、直感的に古さを把握することができれば便利であると考えられる。
【特許文献１】特開２００１−７５９９５号公報
【発明の開示】
【発明が解決しようとする課題】
【０００６】
本発明は以上の点を考慮してなされたもので、直感的に古さを把握することができる情報提供方法、情報提供装置、情報提供方法のプログラム及び情報提供方法のプログラムを記録した記録媒体を提案しようとするものである。
【課題を解決するための手段】
【０００７】
かかる課題を解決するため請求項１の発明においては、記録手段をアクセスして前記記録手段に記録された情報を提供する情報提供方法に適用して、前記情報に係る古さを示す古さの基準を検出する基準検出のステップと、前記情報の古さを感じ取ることができるように、前記基準検出のステップで検出された前記古さの基準に基づいた設定により前記情報をユーザーに提供する情報提供のステップとを有するようにする。
【０００８】
また請求項１８の発明においては、記録手段をアクセスして前記記録手段に記録された情報を提供する情報提供装置に適用して、前記情報に係る古さを示す古さの基準を検出する基準検出部と、前記情報の古さを感じ取ることができるように、前記基準検出部で検出された前記古さの基準に基づいた設定により前記情報をユーザーに提供する情報提供部とを有するようにする。
【０００９】
また請求項１９の発明においては、記録手段をアクセスして前記記録手段に記録された情報を提供する情報提供方法のプログラムに適用して、前記情報に係る古さを示す古さの基準を検出する基準検出のステップと、前記情報の古さを感じ取ることができるように、前記基準検出のステップで検出された前記古さの基準に基づいた設定により前記情報をユーザーに提供する情報提供のステップとを有するようにする。
【００１０】
また請求項２０の発明においては、情報提供方法のプログラムを記録した記録媒体に適用して、請求項１９に記載の情報提供方法のプログラムを記録する。
【００１１】
請求項１の構成により、情報提供方法に適用して、前記情報に係る古さを示す古さの基準を検出する基準検出のステップと、前記情報の古さを感じ取ることができるように、前記基準検出のステップで検出された前記古さの基準に基づいた設定により前記情報をユーザーに提供する情報提供のステップとを有するようにすれば、古さの基準が古いもの程、古く感じるように情報が提供され、これにより直感的に情報の古さを把握することができる。
【００１２】
これにより請求項１８、請求項１９、請求項２０の構成によれば、直感的に情報の古さを把握することができる情報提供装置、情報提供方法のプログラム及び情報提供方法のプログラムを記録した記録媒体を提供することができる。
【発明の効果】
【００１３】
本発明によれば、直感的に情報の古さを把握することができる。
【発明を実施するための最良の形態】
【００１４】
以下、適宜図面を参照しながら本発明の実施例を詳述する。
【実施例１】
【００１５】
（１）実施例の構成
図２は、本発明の実施例１の情報提供装置に係るコンピュータを示すブロック図である。このコンピュータ１において、通信部２は、中央処理ユニット（ＣＰＵ）３の制御によりインターネット等のネットワークに接続し、このネットワークとの間で各種のデータを送受し、またこのデータをバスＢＵＳとの間で入出力する。これによりこのコンピュータ１では、このコンピュータ１に係る各種プログラム、各種ファイルを取得し、さらには送出できるように形成される。
【００１６】
またコンピュータにおいて、インターフェース（Ｉ／Ｆ）４は、中央処理ユニット３の制御により外部記録媒体であるメモリカード、光ディスク等に対して種々のデータを記録再生し、またこの記録再生に係るデータをバスＢＵＳとの間で入出力する。これによりこのコンピュータ１では、コンピュータ１に係る各種プログラム、各種ファイルを各種記録媒体を介して取得し、さらには出力できるよう形成され、これにより例えば電子スチルカメラで撮影した静止画ファイルを取得できるように形成される。
【００１７】
モニタ６は、例えば液晶表示パネル等によるフラットディスプレイ装置により形成され、中央処理ユニット３の制御により、このコンピュータ１の処理に係る各種の画像を表示する。ディジタルアナログ変換回路（Ｄ／Ａ）７は、中央処理ユニット３の制御によりバスＢＵＳを介して入力される音声データをディジタルアナログ変換処理して音声データを生成し、この音声データによりスピーカ８駆動する。プリンタ１３は、中央処理ユニット３の制御によりバスＢＵＳに出力される画像データを取得して印刷する。これによりこのコンピュータ１では、これらモニタ６、ディジタルアナログ変換回路７、スピーカ９、プリンタ１３により各種コンテンツ、各種処理結果の出力手段を構成する。
【００１８】
入力部９は、キーボード、マウス等によるユーザーの操作を検出して中央処理ユニット３に通知する。ハードディスク装置（ＨＤＤ）１０は、インターフェース４、通信部２を介して取得した各種プログラム、各種ファイルのデータを記録し、またこれらのデータを再生して出力する。中央処理ユニット３は、リードオンリメモリ（ＲＯＭ）１２の記録に従ってランダムアクセスメモリ（ＲＡＭ）１１にワークエリアを確保し、入力部９を介して入力されるユーザーの指示によりハードディスク装置１０に記録された各種処理プログラムを実行し、これによりこのコンピュータ１全体の動作を制御し、ユーザーにより指示された処理を実行する。
【００１９】
この実施例では、この中央処理ユニット３の処理に係る処理プログラムの１つに、ハードディスク装置１０に記録された画像ファイルの係るアプリケーションプログラム（以下画像処理プログラムと呼ぶ）が設けられる。なおこのような処理プログラムにあっては、このコンピュータに事前にインストールして提供するようにしてもよく、上述したインターネット等のネットワークを介したダウンロードにより提供するようにしてもよく、さらには光ディスク、磁気ディスク、メモリカード等の各種に記録媒体により提供するようにしてもよい。
【００２０】
ここで中央処理ユニット３は、入力部９を介してこの画像処理プログラムの起動がユーザーにより指示されると、このアプリケーションプログラムを起動してモニタ６にメインメニュー画面を表示する。またこのメインメニュー画面に表示したメニューの操作により、インターフェース４を介して外部記録媒体に記録された画像ファイルをハードディスク装置１０にダウンロードしてハードディスク装置１０に記録し、また通信部２を介してユーザーの所望するホームページ、ユーザーの指示したコンピュータより画像ファイルをダウンロードしてハードディスク装置１０に記録する。またこれらとは逆に、ハードディスク装置１０に記録された画像ファイルを外部記録媒体、ホームページ、外部のコンピュータ等にアップロードする。
【００２１】
これらの処理において、中央処理ユニット３は、ユーザーの指示によりダウンロード、アップロード可能な画像ファイルをサムネイル画像により一覧表示し、ユーザーによる選択を受け付けてダウンロード、アップロードの処理を受け付け、さらには１つの画像ファイルを全画面表示によりモニタ６で表示してプレビューする。またハードディスク装置１０に記録した画像ファイルについても、同様にして一覧表示し、これによりユーザーにより処理対象の選択を受け付け、さらには１つの画像ファイルを全画面表示によりモニタ６で表示してプレビューする。
【００２２】
中央処理ユニット３は、これらの一覧表示において、ユーザーにより経時変化を考慮した表示モードが指示されると、これら一覧表示に係る画像ファイルにより古さの基準を検出し、この古さの基準により、古いもの程、古く感じるにより設定してユーザーにこれら画像ファイルのサムネイル画像、プレビュー表示の画像を提供する。
【００２３】
ここでこの古さの基準は、対象の情報の古さを示す基準であり、この実施例では、対象画像ファイルのファイル作成日とファイル記録日との間で選択できるように形成される。なおここでこのようなファイル作成日、ファイル記録日に代えて、ファイル更新日を適用するようにしてもよく、ファイル作成日、ファイル記録日、ファイル更新日の平均値又はこれらの何れかの組み合わせによる平均値を適用するようにしてもよい。
【００２４】
ここでユーザーによりファイル作成日が古さを示す基準に設定された場合、ファイル作成日を起点とした時間の経過により印刷物による画像が劣化したように、表示対象の画像ファイルを表示し、これにより昔撮影した画像ファイル程、古く感じられるように表示する。これとは逆にファイル記録日を古さの基準とした表示が指示された場合、中央処理ユニット３は、ハードディスク装置１０、外部記録媒体、ダウンロードに供する記録媒体へのファイル記録日を起点とした時間の経過により印刷物による画像が劣化したように、表示対象の画像ファイルを表示し、これによりハードディスク装置１０等に昔記録した画像ファイル程、古く感じられるように表示する。
【００２５】
またさらにこの経時変化を考慮した表示モードは、相対的な時間経過による表示モードと、絶対的な時間経過による表示モードとが設けられ、中央処理ユニット３は、ユーザーにより相対的な時間経過による表示モードが選択された場合、ユーザーが表示対象として指定した範囲で最も古いファイルを基準にして、昔撮影した画像ファイル程、又は昔記録した画像ファイル程、古く感じられるように表示する。なお中央処理ユニット３は、この表示対象としての範囲については、ハードディスク装置１０等に形成されたフォルダを単位にして、さらにはファイル名等の検索等により指定を受け付ける。
【００２６】
すなわち図１は、このような一覧表示において、相対的な時間経過による経時変化を考慮した表示モードにおける中央処理ユニット３の処理手順を示すフローチャートである。中央処理ユニット３は、ユーザーによりこの表示のモードによる一覧表示が指示されると、ステップＳＰ１からステップＳＰ２に移り、ユーザーにより指示された範囲により最も古さの基準が昔の、最も古い画像ファイルを検出する。なお中央処理ユニット３は、この一覧表示に係る画像ファイルに係るファイル管理システムよりこの古さの基準を検出する。
【００２７】
続いて中央処理ユニット３は、ステップＳＰ３に移り、ステップＳＰ２で検出した古さの基準による起点から現在までの期間を、所定の区分数により区分する。ここでこの区分にあっては、例えばこの起点から現在までの期間を、所定の区分数により等分割してもよく、またユーザーの指示により特定の区分だけ期間を長くしたり、短くしたりするようにしてもよい。またこの区分数をユーザーの指示により受け付けるようにしてもよい。これにより中央処理ユニット３は、例えばユーザーにより表示に供するように指定された画像ファイルのうちで、最も撮影日の古いファイルが３０年前の物であった場合、この３０年前から現在迄の３０年の期間を、この３０年前の撮影日から１０年、続く１０年、続く現在までの１０年による３つの期間に区分する。なおこの場合に、現在までの期間に代えて、最も新しいファイルの古さの基準によるファイル記録日等までの期間を区分するようにしてもよい。
【００２８】
続いて中央処理ユニット３は、ステップＳＰ４に移り、先頭に表示する１つのファイルを選択し、このファイルについて、ファイル管理システムより古さの基準を検出する。また続くステップＳＰ５において、この画像ファイルが何れの区分に属するかを判定する。また続くステップＳＰ６において、ステップＳＰ５で判定した区分に従って古く感じさせるエフェクトのパラメータを設定する。
【００２９】
ここでこの古く感じさせるエフェクトにあっては、複数種類設けられたエフェクトのうち、事前にユーザーにより指定されたエフェクトが適用され、処理対象ファイルによる内容が劣化したものであると感じさせるエフェクトが適用される。この実施例では、この対象ファイルが画像ファイルであることにより、この画像ファイルの画像を印刷物の形式で保存したとした場合に、画質の劣化が感じられるエフェクトが適用される。具体的に、画像を印刷物の形式で保存した場合には、退色し、さらには用紙が変色することにより、このような退色、変色を感じさせるエフェクトが適用される。より具体的には、彩度を低下させるいわゆるモノトーンの処理、彩度を低下させると共に黄色み掛かったように色相を変化させるいわゆるセピアの処理、解像度を低下させる処理、階調数を低下させる処理等が適用され、これらを組み合わせるようにしてもよい。
【００３０】
これらにより中央処理ユニット３は、ユーザーにより事前に指示されたエフェクト処理のパラメータをこのステップＳＰ６で設定した後、続くステップＳＰ７において、このパラメータにより表示対象のサムネイル画像をエフェクト処理し、モニタ６に表示する。また続くステップＳＰ８において、全ての画像ファイルを処理したか否か判断し、ここで否定結果が得られると、ステップＳＰ４に移って続く画像ファイルを選択するのに対し、ステップＳＰ８で肯定結果が得られると、ステップＳＰ９に移ってこの処理手順を終了する。
【００３１】
これにより上述した３段階の区分によってセピアにより古さを感じさせる場合、中央処理ユニット３は、図３において、最も近年の区分、続く区分、最も昔の区分にそれぞれ属する画像ファイルのサムネイル画像を符号Ｆ１〜Ｆ３により示すように、最も近年の区分に属する画像ファイルＦ１については、何らエフェクト処理しないでサムネイル画像を表示し、古さが古くなるに従って、順次段階的にセピアによるフェクトのパラメータを増大させてサムネイル画像を表示する。
【００３２】
なおこのような最も起点の古い画像ファイルの現在までの期間の分割による区分に代えて、処理対象ファイルにおけるこれらの期間の分布により、区分を設定してもよい。すなわち例えば３０個の処理対象ファイルを３つの区分により表示する場合、各区分にそれぞれ１０個づつ処理対象ファイルを割り当てるように、区分を設定してもよい。
【００３３】
中央処理ユニット３は、このようにして一覧表示したサムネイル画像の１つがユーザーにより選択されてプレビューが指示された場合、ユーザーの設定により、このサムネイル画像の処理に供したパラメータによりプレビューの画像についても古さを感じさせないようにして表示する。
【００３４】
これに対して絶対的な時間経過による経時変化を考慮した表示モードがユーザーにより指示された場合、中央処理ユニット３は、ユーザーにより区分の設定を受け付け、同様に各画像ファイルにおける古さの基準を検出、判定して一覧表示、プレビューの表示を実行する。なおこの場合の区分の設定にあっては、例えば１区分を１０年の期間に設定して４区分設ける場合である。この場合に、現在より過去に逆上るように区分を設定してもよく、最も新しいファイルから過去に逆上るように区分を設定してもよい。
【００３５】
これらによりこのコンピュータ１においては、図４に示すように、内蔵のタイマにより現在日時情報を生成する時刻生成部を構成し、ハードディスク装置１０、外部記録媒体５、通信部２により接続される各種記録媒体により画像ファイルを格納する画像ファイル格納部を形成する。また中央処理ユニット３の処理により、各コンテンツの作成日又は記録日による古さの基準を判定する判定部、この判定部による判定結果によりパラメータを設定して各コンテンツをエフェクト処理するエフェクト部による機能ブロックを形成し、モニタ６により加工済みコンテンツを表示する表示部を形成する。なおこのコンピュータ１において、現在に代えて最も新しい画像ファイルを基準にしてエフェクト処理のパラメータを設定する場合にあっては、時刻生成部の機能ブロックは、構成されないことになる。
【００３６】
中央処理ユニット３は、さらにこの画像処理プログラムの実行により、このような一覧表示、プレビューによりユーザーが選択した画像ファイルをユーザーの指示に従って上述したようにダウンロード、アップロードし、さらには種々に処理する。またさらにユーザーにより印刷が指示されると、プリンタ１３により印刷する。
【００３７】
これらの処理において、中央処理ユニット３は、ユーザーにより経時変化を考慮した印刷モード、ダウンロード、アップロードが指示された場合、上述した経時変化を考慮した表示モードの場合と同様に、各画像ファイルより古さの基準を検出し、この検出結果によりパラメータを設定してエフェクト処理し、その処理結果により画像ファイルを印刷、ダウンロード、アップロードする。
【００３８】
（２）実施例の動作
以上の構成において、このコンピュータ１では、ユーザーによる操作に応動してハードディスク装置１０に記録された各種アプリケーションプログラムが実行される。これによりユーザーが画像処理プログラムの実行を指示した場合、コンピュータ１では、ユーザーによる指示に応動してインターフェース４を介して外部記録媒体に記録された画像ファイルをハードディスク装置１０にダウンロードしてハードディスク装置１０に記録し、また通信部２を介してユーザーの所望するホームページ、ユーザーの指示したコンピュータより画像ファイルをダウンロードしてハードディスク装置１０に記録する。またこれらとは逆に、ハードディスク装置１０に記録された画像ファイルを外部記録媒体、ホームページ、外部コンピュータ等にアップロードする。またこれらの各部に記録された画像ファイルがユーザーの指示により処理される。
【００３９】
これらの処理において、コンピュータ１は、ユーザーの指示によりこれらダウンロード、アップロード、各種処理に供する画像ファイルがサムネイル画像により一覧表示され、またこの一覧表示におけるユーザーの指示によりプレビューされる。これによりユーザーにおいては、所望するファイルを確認して種々に処理することができる。
【００４０】
しかしながらこのような画像ファイルによる画像にあっては、何十年も昔に撮影したものであっても、何ら、画質劣化することなく、あたかもつい最近撮影したように、保存することができる。
【００４１】
これによりこのように一覧表示において、例えば風景による画像ファイルを多数表示する場合にあっては、昔訪れたときに撮影した画像ファイルか、さらにはつい最近訪れたときに撮影したものか、判断に迷うことになる。また何十年も経過した後にあっては、子供の写真を選んだつもりが、祖父母の子供のときの写真を選んだりすることも考えられる。
【００４２】
この場合に、各ファイルに設定されたファイル作成日を確認することも考えられるが、これでは所望する画像ファイルを見つけ出すのに極めて煩雑な作業を繰り返さなければならなくなる。
【００４３】
しかしながらこの実施例においては、ユーザーによる設定により、撮影日であるファイル作成日により古さの基準が検出され、この古さの基準による起点から現在までの期間に応じてパラメータを設定してエフェクト処理し、これにより昔撮影した画像ファイル程、各画像ファイルのサムネイル画像が古く感じられるように表示される。これによりユーザーにおいては、見た感じから得られる連想記憶により直感的に古さを把握することができる。
【００４４】
またさらにこの実施例では、このような起点から現在までの期間を区分により判定して各区分に応じてパラメータを設定することにより、古くなるに従って、順次、段階的に古く見えるように各サムネイル画像が表示される。これによりこの実施例においては、このように古く見えるようにエフェクト処理して各画像を表示する場合にあって、撮影日、記録日が近寄った、何れの画像が古いのかとゆうようなユーザーの迷いを防止することができ、これによっても直感的に古さを把握することができる。
【００４５】
またこのようにしたサムネイル画像による一覧表示により選択された画像をプレビューする場合にあっても、同様に、古くなるに従って、順次、段階的に古く見えるようにエフェクト処理して表示され、これにより一覧表示とプレビューとの間における違和感、混乱をユーザーに与えないようにすることができ、これによっても直感的に古さを把握することができる。
【００４６】
またこのようにして表示して、ユーザーにより印刷が指示された場合にあっても、ユーザーの指示より、同様に、古さの基準による起点からの期間の経過により古く見えるようにエフェクト処理して印刷される。これにより所望する画像ファイルによる画像を印刷して管理する場合等にあっても、同様に、古さを直感的に把握することができる。
【００４７】
またアップロード、ダウンロードの際に、このような処理を実行することによっても、アップロードした画像ファイル、ダウンロードした画像ファイルについて、同様に、直感的に古さを把握することができる。
【００４８】
ところでこのような画像ファイルにあっては、電子スチルカメラで撮影したものの他に、ホームページからダウンロードして取得する場合もあり、画像ファイルについては、いつダウンロードしたものか、判断に迷うことがある。
【００４９】
これによりこの実施例においては、上述したファイル作成日による古さの基準に代えて、ハードディスク装置１０等に記録されたファイル記録日を古さの基準に適用し、この古さの基準によりパラメータを設定して、古さを感じさせるようにサムネイル画像、プレビュー画像が表示される。またアップロード、ダウンロードにおいても、さらには印刷においても、ユーザーによる指示により同様に古さを感じられるようにエフェクト処理されて処理に供される。
【００５０】
これによりユーザーにおいては、ダウンロード等する画像ファイルについても、古くなった画像にあっては、直感的に把握し得、このサムネイル画像における選択により、削除等の処理を簡易かつ確実に実行することができる。これによりこの実施例においては、一段と使い勝手を向上することができる。
【００５１】
これらの処理において、このコンピュータ１では、古さの基準による起点からの相対的な時間経過により、又は古さの基準による起点からの絶対的な時間経過により、古さの基準が区分されてパラメータが設定されることにより、またこれらの時間経過による区分を種々に設定できることにより、ユーザーにおいては、種々に古さの見え方を設定して画像ファイルを選択、処理することができ、これによっても使い勝手を向上することができる。
【００５２】
またこのようなファイル作成日、ファイル記録日に代えて、この実施例では、ファイル更新日を古さの基準に適用して、同様の処理を実行することができ、これにより例えば昔編集した画像ファイルに関しては、この編集した日にちを基準にして直感的に古さを把握することができる。
【００５３】
（３）実施例の効果
以上の構成によれば、ファイル作成日等により情報の古さを示す古さの基準を検出し、この古さの基準により、古いもの程、古く感じるにより設定してユーザーに情報を提供することにより、直感的に情報の古さを把握することができ、これにより所望する情報を簡易かつ確実に見つけ出すことができる。
【００５４】
またこの実施例では、この情報が画像ファイルによる情報であり、この画像ファイルをエフェクト処理するようにして、古い画像ファイル程、画質を劣化させるようにパラメータを設定することにより、直感的に古さを把握することができる。
【００５５】
またこのような画像ファイルの提供を複数の画像ファイルによる画像の一覧表示に適用することにより、多数の画像ファイルより所望するファイルを簡易かつ確実に見つけ出すことができる。
【００５６】
またこの古さの基準に、ファイル作成日、ファイル記録日、又はファイル更新日を適用することにより、電子スチルカメラにより撮影したファイル、ホームページから取得したファイル、さらには編集処理したファイルに関して、それぞれファイルを取得した経緯に応じて直感的に古さを把握することができる。
【実施例２】
【００５７】
この実施例においては、各種ファイル、フォルダのアイコンの表示について、古さの基準によりパラメータを設定してエフェクト処理し、これにより古いファイル、フォルダ程、古く見えるように表示する。なおこれによりこの実施例においては、このアイコンの処理に係る点、関連する処理に係る点を除いて、上述の実施例１と同一に構成されることにより、以下の説明においては、実施例１について上述した図２の構成を流用して説明する。
【００５８】
すなわちこの実施例に係るコンピュータ１において、中央処理ユニット３は、ユーザーによりフォルダの内容の表示が指示されると、ファイル管理システムによりこの指示されたフォルダに属するフォルダ名、ファイル名を取得し、図５に示すように一覧表示する。このときファイルについては、各ファイルのアプリケーションプログラムと対応付けたアイコンにより表示する。
【００５９】
この処理において、中央処理ユニット３は、各フォルダ、各ファイルの作成日を古さの基準に設定し、処理対象ファイルのうちで最も古いファイルを基準にした相対的な時間経過により、又は現在までの絶対的な時間経過によりパラメータを設定して各アイコンの画像データをエフェクト処理し、これにより古いフォルダ、ファイルのアイコン程、古く見えるように表示する。なおここでファイルについては、ファイル作成日に代えて、ファイル記録日又はファイル更新日を適用するようにしてもよく、さらにはこれらの平均値、これら何れかの組み合わせによる平均値を適用するようにしてもよい。またフォルダにあっては、フォルダに属するファイルで最も古いファイルの古さの基準、さらにはフォルダに属する複数ファイルの古さの基準値の平均値を適用してもよく、さらにはユーザーの指示により古さを感じさせる処理を省略してもよい。なおこのようにフォルダに属するファイルで最も古いファイルの古さの基準を適用した場合、少なくともこのフォルダには、古いファイルが存在していることを確認することができる。またこれとは逆に、フォルダに属するファイルで最も新しいファイルの古さの基準を適用した場合、少なくともこのフォルダには、新しいファイルが存在していることを確認することができ、これらにより所望するファイルを迅速に見つけ出すことができる。
【００６０】
ここでこのようなアイコンに係る古く見せるエフェクトにあっては、いわゆるモノトーンによる処理、低解像度化による処理、低階調化による処理、さらには古くなる程、全体の輝度を低下させて暗く見せる処理、古くなる程、背景に近づくように全体の輝度を増大させて薄く見せる処理等が適用される。
【００６１】
これによりこの実施例では、このようなアイコンによるフォルダ、ファイルの表示においても、直感的に古さを把握することができる。
【実施例３】
【００６２】
この実施例においては、検索のサービスを提供するホームページの検索結果に本発明を適用し、更新日を古さの基準に設定した時間経過により、更新日が古い検索結果程、古く見えるように、検索結果を処理して表示する。なおこれによりこの実施例においては、この検索結果の表示に係る点を除いて、上述の実施例１と同一に構成されることにより、以下の説明においては、実施例１について上述した図２の構成を流用して説明する。
【００６３】
すなわちこの実施例に係るコンピュータ１において、中央処理ユニット３は、ユーザーによる指示によりブラウザを立ち上げ、通信部２の制御により検索のサービスを提供するホームページを訪問する。またこれによりこのホームページを表示し、キーワード等の検索に供する各種条件の入力を受け付け、この検索の条件をホームページに送信して検索を指示する。またこのホームページより提供される検索結果をモニタ６により表示する。
【００６４】
このためこの検索のサービスを提供するホームページは、検索ロボットにより、又はオペレータにより、インターネット上のホームページをアクセスして検索に供するキーワード等を検出し、この検出結果によりデータベースの記録を更新する。また検索の指示により、キーワード等の検索条件によりこのデータベースをアクセスして検索結果を得、この検索結果をコンピュータ１に通知する。
【００６５】
中央処理ユニット３は、この通知された検索結果の表示において、各検索結果の更新日を起点に設定して、検索結果の頁を単位にした最も古いファイルの更新日から現在までの間の相対的な時間経過により、又は現在までの絶対的な時間経過により、更新日が古い検索結果程、古く見えるように、各検索結果を処理して表示する。
【００６６】
具体的に、図６に示すように、ウエブの検索により、ホームページの検索結果を表示する場合、ホームページのタイトル、ホームページの内容のテキスト、ＵＲＬを表示し、履歴の記録により、過去に訪れたことのあるホームページは、紫色によりホームページのタイトルを表示し、過去の訪れたことの無いホームページは、青色によりホームページのタイトルを表示する。中央処理ユニット３は、この検索結果の表示に供する画像データを、実施例１、２について上述したようにエフェクト処理することにより、又は表示に供する文字の色彩、フォントを変化させることにより、古さを感じさせるようにして検索結果を表示する。なおこのような色彩の変化にあっては、例えば更新日の古いホームページ程、タイトルの表示を黄色く表示する場合等がある。
【００６７】
これに対して画像ファイルの検索結果を表示する場合、実施例１について上述したと同様に、更新日が古い画像ファイル程、古さを感じさせるように、検索結果による画像を表示する。
【００６８】
この実施例によれば、インターネット上の検索結果を表示する場合に、更新日が古いもの程、古く見えるように、検索結果を表示することにより、直感的に古さを把握して、新しい検索結果により所望のホームページを簡易かつ確実に見つけ出すことができる。
【実施例４】
【００６９】
この実施例においては、実施例３について上述した検索結果の更新日が古いもの程、古く見えるようにする処理を、検索結果を提供するホームページのサーバー側により実行する。またこれによりこのサーバー側のコンピュータにおいては、検索条件の指示を受け付ける際に、古さを感じさせる設定を受け付け、この設定に従って検索結果を提供する。またこのとき、相対的な時間経過により更新日が古い検索結果程、古く見えるように指示された場合には、ヒットした検索結果のうちで、最も更新日が古いものの起点を基準にして、実施例１について上述したように、各検索結果を区分して処理する。
【００７０】
これによりこの実施例においては、１頁では表示し切れない程に多くの検索結果がヒットした場合でも、実施例３について上述したと同様の効果を得ることができる。
【実施例５】
【００７１】
この実施例５においては、音楽ファイルの提供に関して、古さの基準による起点が古いファイル程、古さを感じるように、音楽ファイルを処理して提供する。なおこれによりこの実施例においては、この音楽ファイルの提供に係る処理を除いて、上述の実施例１と同一に構成されることにより、以下の説明においては、実施例１について上述した図２の構成を流用して説明する。
【００７２】
すなわちこの実施例に係るコンピュータにおいて、中央処理ユニット３は、ユーザーによる指示により音楽再生のアプリケーションプログラムを立ち上げ、このアプリケーションプログラムによるメニュー画面を表示する。またこのメニュー画面におけるユーザーによる指示により、再生可能な音楽ファイルの一覧を表示し、ユーザーによる指示により再生対象のファイルの選択を受け付ける。
【００７３】
この一覧表示において、中央処理ユニット３は、ユーザーによる指示により、実施例２について上述したと同様に、各音楽ファイルのアイコンを、古いファイル程、古く感じるように表示する。またユーザーによる指示により、いわゆるイントロ再生の処理を実行し、このような一覧表示に係る音楽ファイルを順次選択して、先頭から一定時間だけ再生してユーザーによる選択を受け付ける。
【００７４】
なおこの実施例において、中央処理ユニット３は、ハードディスク装置１０に音楽ファイルをダウンロードする際に、又はダウンロードした後の空き時間において、各音楽ファイルを解析して音楽ファイルの属性を検出する。またこの検出した属性により各音楽ファイルを分類し、これによりハードディスク装置１０に記録された音楽ファイルについては、各分類毎に専用のアイコンにより音楽ファイルを表示する。なおこのような解析にあっては、テンポ、音の強弱の程度、基本周波数、ビート成分の程度等を検出して実行され、分類にあっては、テクノポップ、ラブソング、スローテンポ等の分類である。
【００７５】
イントロ再生において、中央処理ユニット３は、ユーザーによる設定により、古い音楽ファイル程、古く感じるように、音楽ファイルを再生して得られるオーディオデータを処理してスピーカ８から出力する。ここでこの古さを感じさせる処理にあっては、複数種類の処理よりユーザーが指定した処理が適用される。またこの複数種類の処理にあっては、古い音楽ファイル程、音質の劣化を感じさせる処理である。具体的に、この複数種類の処理は、古い音楽ファイル程、高域を低減させる処理、ホワイトノイズ又はスクラッチノイズを生成して、古い音楽ファイル程、これらノイズの重畳量を増大させる処理、古い音楽ファイル程、ワウフラを増大させる処理、古い音楽ファイル程、非線型に振幅を補正して歪みを増大させる処理等が適用される。
【００７６】
また古さの基準にあっては、実施例１について上述した各種の基準の他に、ユーザーによる設定により、音楽ファイルによる演奏の収録日、ヒットした年代等が適用される。なおこのような収録日、ヒットした年代等を古さの基準に設定する場合、中央処理ユニット３は、ハードディスク装置１０に記録された音楽ファイルについては、ハードディスク装置１０に記録した曲情報よりこれらの情報を取得し、又は通信部２によりインターネットに接続してこれらの情報を取得する。またインターネットにより取得される音楽ファイル、外部記録媒体による音楽ファイルについては、対応するホームページ、外部記録媒体の記録より取得する。
【００７７】
これによりユーザーにおいては、イントロ再生により曲を選択する際に、直感的に古さを感じ取り、所望する曲を選択することができる。
【００７８】
またこのようにしてユーザーにより再生対象の音楽ファイルが選択されると、中央処理ユニット３は、ユーザーの指示により、イントロ再生の場合と同様にして、古い音楽ファイル程、古く感じるようにオーディオデータを処理して、再生対象の音楽ファイルを順次再生する。
【００７９】
この実施例によれば、本発明を音楽ファイルの処理に適用して、古い音楽ファイル程、音質を劣化させるように、エフェクト処理に係るパラメータを設定することにより、直感的に古さを把握して所望する音楽ファイルを見つけ出すことができ、またこのように直感的な把握による音楽ファイルの選択に対して、違和感なく音楽ファイルを提供することができる。
【実施例６】
【００８０】
図７は、本発明の実施例６に係る光ディスク装置を示すブロック図である。この光ディスク装置２１は、テレビジョン放送による番組を動画ファイルによりハードディスク装置（ＨＤＤ）２２、光ディスクに記録し、またこれらハードディスク装置２２、光ディスクに記録されたファイルを再生してモニタ２３に出力する。
【００８１】
すなわちこの光ディスク装置２１において、チュナー部２４は、中央処理ユニット２５の制御によりテレビジョン放送を受信してビデオデータ及びオーディオデータを出力し、エンコーダ２６は、このチュナー部２４から出力されるビデオデータ及びオーディオデータをデータ圧縮してバスＢＵＳに出力する。ハードディスク装置２２は、中央処理ユニット２５の制御により動作を切り換え、このバスＢＵＳに出力されるデータ圧縮されたビデオデータ及びオーディオデータを記録し、また記録したビデオデータ及びオーディオデータを再生してバスＢＵＳに出力する。光ディスクドライブ２７は、中央処理ユニット２５の制御により動作を切り換え、このバスＢＵＳに出力されるデータ圧縮されたビデオデータ及びオーディオデータを光ディスクに記録し、また光ディスクに記録したビデオデータ及びオーディオデータを再生してバスＢＵＳに出力する。デコーダ２８は、ハードディスク装置２２、光ディスクドライブ２７からバスＢＵＳに出力されるビデオデータ及びオーディオデータをデータ伸長して出力する。外部インターフェース（外部ＩＦ）３３Ａ及び３３Ｂは、中央処理ユニット２５の制御により動作を開始し、それぞれ所定のフォーマットによりデコーダ２８から出力されるビデオデータ及びオーディオデータをモニタ２３に出力する。これらによりこの光ディスク装置２１では、テレビジョン放送番組を受信してハードディスク装置２２、光ディスクに記録し、またハードディスク装置２２に記録され番組を光ディスクにダビングし、さらにはハードディスク装置２２、光ディスクに記録された番組をモニタ２３によりモニタできるように形成される。
【００８２】
操作部２９は、ユーザーによる操作子の操作、リモートコマンダの操作を検出して中央処理ユニット２５に通知する。中央処理ユニット２５は、ランダムアクセスメモリ（ＲＡＭ）３１にワークエリアを確保してリードオンリメモリ（ＲＯＭ）３０に記録された処理プログラムを実行することにより、操作部２９を介して得られるユーザーによる操作に応動して各部の動作を制御し、これによりこの光ディスク装置２１全体の動作を制御する。なおこの中央処理ユニット２５の処理に係るプログラムにあっては、インターネット等のネットワークを介したダウンロードにより提供するようにしてもよく、光ディスク、磁気ディスク、メモリカード等の各種記録媒体を介して提供するようにしてもよい。
【００８３】
すなわち中央処理ユニット２５は、ユーザーにより番組の記録が指示されると、チュナー部２４の動作を立ち上げ、その結果得られるビデオデータ及びオーディオデータの記録をハードディスク装置２２又は光ディスクドライブ２７に指示する。このとき中央処理ユニット２５は、記録開始の日時、番組名、放送局名等を例えばＥＰＧ（Electronic Program Guide）より取得して併せて記録する。また中央処理ユニット２５は、この番組の記録時、又は空き時間において、このようにして記録した番組の動画ファイルを解析し、タイトルの部分を検出してサムネイル画像によりハードディスク装置２２、光ディスクドライブ２７に記録する。
【００８４】
これに対してユーザーにより番組の再生、ダビングが指示されると、再生可能、ダビング可能な動画ファイルの一覧をタイトルリストによりモニタ２３に表示する。ここで図８は、このタイトルリストの表示を示す平面図であり、スクロール可能に、各動画ファイルのサムネイル画像、番組名、放送局名等が表示される。
【００８５】
この表示において、中央処理ユニット２５は、実施例１について画像ファイルについて上述したと同様にして、古い動画ファイル程、古く感じるように、サムネイル画像をエフェクト処理して表示する。また未だ再生していない動画ファイルについては、符号Ａにより示すように、「ＮＥＷ」の文字を表示し、これによりユーザーにより容易に検出できるようにする。なおここでこの実施例においては、古さの基準として、番組の放映日が適用される。これによりこの光ディスク装置２１では、動画ファイルの一覧表示において、古い動画ファイルを直感的に把握することができる。
【００８６】
またこのような一覧表示において、ユーザーが動画ファイルを選択してプレビューを指示すると、中央処理ユニット２５は、このユーザーの選択した動画ファイルを、サムネイル画像により表示した箇所から一定時間だけ再生してモニタ２３に表示する。この処理においても、中央処理ユニット２５は、ユーザーによる設定により、古い動画ファイル程、古く感じるように、動画ファイルを再生して得られるビデオデータを処理してモニタ２３により表示する。ここでこの古さを感じさせる処理にあっては、複数種類の処理よりユーザーが指定した処理が適用される。またこの複数種類の処理にあっては、古い動画ファイル程、画質を劣化させる処理であり、具体的には、実施例１について上述した画像ファイルに係る処理をそのまま動画ファイルに適用する他、フィルムの傷を再現するように垂直方向にノイズを重畳する処理、さらには１秒当たりのコマ数が少ないフィルムによる画像を再現するようにコマ落しにより再生する処理、さらには受信障害が発生しているようにエフェクトにより処理することが考えられる。なおこのような受信障害の処理にあっては、例えば水平走査方向に各サンプリング値を遅延させて元のサンプリング値に足し込むことによるゴーストの再現、スノーノイズの重畳、パルスノイズの重畳、特定周波数成分の重畳によるビートの再現、これらの組み合わせ等を適用することができる。
【００８７】
この実施例によれば、本発明を動画ファイルの処理に適用して、古い動画ファイル程、古く感じさせるように、エフェクト処理に係るパラメータを設定することにより、直感的に古さを把握して所望する動画ファイルを見つけ出すことができ、その分、使い勝手を向上することができる。
【実施例７】
【００８８】
この実施例においては、動画ファイルの処理に関して、画質の劣化に代えて画角、フォーマットの設定により古さを感じさせるようにする。なおこの実施例においては、この古さを感じさせる設定が異なる点を除いて、実施例６について上述した光ディスク装置と同一に構成されることにより、以下においては、図７の構成を流用して説明する。
【００８９】
ここで中央処理ユニット３は、図９（Ａ）に示すように、古さの基準により最も新しい区分に分類される動画ファイルについては、１４：９の画角によりサムネイル画像を表示し、続く区分に分類される動画ファイルについては、図９（Ｂ）に示すように、全体を４：３の画角に設定し、上下に黒部分を設けたいわゆるレターサイズによりサムネイル画像を表示する。またさらに古い区分に分類される動画ファイルについては、図９（Ｃ）に示すように、４：３の画角により表示し、これにより図９（Ｂ）により示すフォーマットとは異なるフォーマットにより表示する。
【００９０】
またプレビューの処理においても、同様の画角、フォーマットの設定により、プレビュー画像をモニタ２３に表示する。なおこのような画角の設定により古さを感じさせる処理を、１４：９の画角による画像ファイルについてだけ、適用するようにしてもよい。なおこの場合、地上波はディジタル放送により受信される動画ファイル、映画による動画ファイル等が適用されることになる。
【００９１】
またサムネイル画像の表示、プレビューにおける表示において、実施例６について上述した古さを感じさせるエフェクト処理を併せて実行するようにしてもよい。またこのような画角、表示のフォーマットの設定の何れか一方だけを採用するようにしてもよく、また実施例１について上述した画像ファイルの処理に適用し、又は追加するようにしてもよい。
【００９２】
この実施例によれば、動画ファイルの処理に適用して、画像の画角の設定により、さらには表示のフォーマットの設定により古さを感じさせて、直感的に古さを把握することができる。
【実施例８】
【００９３】
この実施例においては、実施例６又は実施例７と同様にして動画ファイルの古さを感じさせるようにして、お薦めの動画ファイルについては、古さの感じ方を低減させる。なおこの実施例においては、この古さを感じさせる設定が異なる点を除いて、実施例６又は実施例７について上述した光ディスク装置と同一に構成されることにより、以下においては、図７の構成を流用して説明する。
【００９４】
すなわち中央処理ユニット２５は、ＥＰＧより取得される各種の情報より、ユーザーの録画、再生の傾向を判定し、これによりユーザーの趣味、嗜好を検出する。またこのようなユーザーの趣味、嗜好の判定に供する情報を、ハードディスク装置２２に記録した動画ファイル毎に記録する。またユーザーによる指示により動画ファイルを一覧表示する際に、検出したユーザーの趣味、嗜好により、表示対象の各動画ファイルについて、ユーザーの趣味、嗜好に合致する程度を検出する。
【００９５】
具体的に、例えばユーザーがドラマを録画、再生する頻度が高く、また特定の俳優が出演する番組の録画頻度、再生頻度が高い場合、この特定の俳優が出演するドラマの動画ファイルについて、趣味、嗜好に合致する程度を最も大きな値に設定するのに対し、この特定の俳優が出演するドラマ以外の番組の動画ファイル、この特定の俳優が出演しないドラマの動画ファイルについては、趣味、嗜好に合致する程度を小さな値に設定する。またこの特定の俳優が出演しないドラマ以外の動画ファイルについては、趣味、嗜好に合致する程度を一段と小さな値に設定する。
【００９６】
中央処理ユニット２５は、このようにして検出した趣味、嗜好に合致する程度による値に応じて、各動画ファイルに係る古さの基準値を補正した後、区分により判定してエフェクト効果のパラメータを設定する。これにより中央処理ユニット２５は、ユーザーの趣味、嗜好に合致する動画ファイルをお薦めの動画ファイルに設定し、このお薦めの動画ファイルついては、古さの感じ方を低減させる。
【００９７】
なおこのようなユーザーの趣味、嗜好にあっては、ユーザーにより入力を受け付けるようにしてもよい。またこのようなお薦めの動画ファイルついて、古さの感じ方を低減させる処理にあっては、動画ファイル、音楽ファイル等、種々のファイルの表示に適用することができる。
【００９８】
これによりこの実施例によれば、連想記憶により古さを感じさせるようにして、この連想記憶にユーザーの趣味、嗜好を反映させることができ、一段と簡易かつ確実に所望するファイルを見つけ出すことができる。
【実施例９】
【００９９】
この実施例においては、再生の回数を考慮して古さを感じさせるようにする。なおこの実施例においては、古さの基準に係る構成が異なる点を除いて、実施例６、実施例７について上述した光ディスク装置と同一に構成されることにより、以下においては、図７の構成を流用して説明する。
【０１００】
すなわち映像コンテンツにあっては、繰り返し視聴する場合があるものの、このような繰り返しにあっては、せいぜい数回程度であることが多い。
【０１０１】
これにより中央処理ユニット２５は、各動画ファイルの再生回数をハードディスク装置２２に記録して保持し、再生回数が所定回数以上の場合に限って、実施例６、実施例７について上述したように、一覧表示に供するサムネイル画像を古さの基準によりエフェクト処理して表示する。
【０１０２】
なおこのような再生回数による制限にあっては、音楽等のコンテンツについても、適用することができる。またこの場合、古さの基準にあっては、最後に再生した時点、又はこの所定回数に当たる再生時点を基準に設定してもよい。
【０１０３】
これによりこの実施例によれば、繰り返し視聴して、それ以上繰り返し視聴することは稀であると考えられる動画ファイルについて、古い映像ファイル程、古く感じさせるようにし、これによりコンテンツの管理に役立てることができる。
【実施例１０】
【０１０４】
この実施例においては、伝送路の切り換えにより、古さを感じさせるようにする。なおこの実施例においては、伝送路の切り換えに係る構成が異なる点を除いて、図７について上述した光ディスク装置と同一に構成されることにより、以下においては、図７の構成を流用して説明する。
【０１０５】
この光ディスク装置２１において、外部インターフェース３３Ａ、３３Ｂは、伝送品質の異なるインターフェースであり、例えばアナログコンポーネント出力、いわゆるＳ端子によるアナログコンポジット出力によりそれぞれビデオデータを出力する。
【０１０６】
中央処理ユニット２５は、この光ディスク装置２１に接続されたモニタ２３に対して、２つの外部インターフェース３３Ａ、３３Ｂの双方を利用可能か否か判定し、この２つの外部インターフェース３３Ａ、３３Ｂの双方を利用可能な場合、プレビューの処理において、またはその後の再生において、古さの基準により外部インターフェース３３Ａ、３３Ｂを選択してビデオデータを出力する。すなわち古い方に区分される動画ファイルについては、相対的に伝送品質が低い側である外部インターフェース３３Ａによる伝送路によりビデオデータを出力する。またこれとは逆に新しい側に区分される動画ファイルについては、相対的に伝送品質が高い側である外部インターフェース３３Ｂによる伝送路によりビデオデータを出力する。
【０１０７】
なおこのような伝送路にあっては、ＨＤＭＩ（High-Definition Multimedia Interface ）を適用する場合等、種々のインターフェース、フォーマットによる伝送路を適用することができる。またこのような伝送路の切り換えにより設定にあっては、音楽ファイルの処理にも適用することができ、この場合、例えば従来のアナログ信号による伝送路、Ｓ／ＰＤＩＦ（Sony/Philips Digital Interface Format）による伝送路、Ｈ．Ａ．Ｔ．Ｓ（High Quality Digital Audio Transmission System）による伝送路等を適用することができる。
【０１０８】
この実施例のように、古さの基準による設定を伝送路の選択により実行するようにしても、直感的に古さを把握させることができる。
【実施例１１】
【０１０９】
図１０は、本発明の実施例１０に係る音楽ファイルの記録再生装置を示すブロック図である。この記録再生装置４１は、複数のフォーマットによる光ディスクを再生可能に保持し、ユーザーの操作に応動して保持した光ディスクを選択的に再生する。
【０１１０】
すなわちこの記録再生装置４１において、チェンジャー４２は、多数の光ディスクを収納して保持し、中央処理ユニット４３の制御により保持した光ディスクを選択的に光ディスクドライバに装填し、この光ディスクを再生する。ここでチェンジャー４２は、コンパクトディスクによる光ディスク、ＳＡＣＤ（Super Audio CD）による光ディスク、ハイブリット型のＳＡＣＤによる光ディスクを再生可能に、光ディスクドライバが形成される。ＳＡＣＤは、コンパクトディスクに比して高い音質により再生可能な光ディスクである。ハイブリット型のＳＡＣＤによる光ディスクは、複数種類のフォーマットから、再生に供するフォーマットを選択可能な光ディスクであり、情報記録面が内周側と外周側とに２分割されて、従来のコンパクトディスクによるフォーマットとＳＡＣＤによるフォーマットとが内周側及び外周側の領域にそれぞれ割り当てられ、これにより従来のコンパクトディスクによる音質により、又はＳＡＣＤによる音質により選択的に所望する音楽ファイルを再生できるように形成される。
【０１１１】
チェンジャー４２は、光ディスクが収納されると、この光ディスクの種別を検出して中央処理ユニット４３に通知する。またハイブリット型のＳＡＣＤによる光ディスクを再生する場合、この通知に基づいた中央処理ユニット４３の制御により、コンパクトディスクによるフォーマットにより、又はＳＡＣＤによるフォーマットにより光ディスクを再生してオーディオデータを出力する。
【０１１２】
ハードディスク装置（ＨＤＤ）４４は、図示しないインターフェースを介して外部機器等から得られるオーディオデータ、チェンジャー４２から出力されるオーディオデータを記録し、また記録したオーディオデータを再生して出力する。これによりハードディスク装置４４は、音楽ファイルによる各種コンテンツを記録して保持する。
【０１１３】
出力インターフェース（出力ＩＦ）４５は、バスＢＵＳに出力されるオーディオデータを取得し、このオーディオデータによりスピーカ４６を駆動する。操作部４７は、ユーザーによる各種の操作を検出して中央処理ユニット４３に通知する。中央処理ユニット４３は、ランダムアクセスメモリ（ＲＡＭ）４８にワークエリアを確保してリードオンリメモリ（ＲＯＭ）４９に記録された処理プログラムを実行することにより、この記録再生装置４１全体の動作を制御する。なおこの中央処理ユニット４３の処理に係るプログラムにあっては、インターネット等のネットワークを介したダウンロードにより提供するようにしてもよく、光ディスク、磁気ディスク、メモリカード等の各種記録媒体を介して提供するようにしてもよい。
【０１１４】
この処理プログラムの実行により、中央処理ユニット４３は、光ディスクがチェンジャーに収納されると、収納された光ディスクの種別を検出してハードディスク装置４４に記録する。また上述の音楽ファイルに係る実施例と同様にして、古さの基準を検出し、再生に供する光ディスクがハイブリット型のＳＡＣＤによる光ディスクの場合、この古さの基準の判定により、古い側の区分に分類される音楽ファイルについては、コンパクトディスクのフォーマットを選択してこの光ディスクから再生する。また新しい側の区分に分類される音楽ファイルについては、ＳＡＣＤのフォーマットを選択してこの光ディスクから再生する。
【０１１５】
この実施例によれば、音楽ファイルの処理に適用して、古さの基準に基づいて音楽ファイルを再生するフォーマットを設定することによっても、古さを直感的に把握することができる。
【実施例１２】
【０１１６】
なお上述の実施例においては、ファイル作成日、ファイル更新日等のファイルの操作に係る情報により古さの基準を検出する場合について述べたが、本発明はこれに限らず、ファイル取得時の伝送フォーマット、記録媒体のフォーマット、エンコードのフォーマット、コピーガードのフォーマット、ファイルフォーマット、さらにはこれらのバージョン等を記録して保持し、これらにより古さの基準を検出するようにしてもよい。すなわち例えばＤＶＤ−ＲＷのＶｅｒ１．０にあっては、１９９８年〜２０００年の間の記録媒体に適用され、ＤＶＤ−ＲのＶｅｒ１．０にあっては、１９９７年〜１９９８年間の記録媒体に適用されている。これにより記録媒体のフォーマットによっても、その記録媒体に記録されたファイルの古さを判定することができる。また各種データの伝送フォーマットにあっても、種々に新しいフォーマット、バージョンが提供されている。また動画ファイルにあっては、ＭＰＥＧ（Moving Picture Experts Group）２によるデータ圧縮が、Ｈ．２６４／ＡＶＣ（Advanced Video Coding ）に取って替わられつつある。またコンピュータの処理に係るファイルにあっては、対応するアプリケーションプログラムのバージョンアップにより拡張子が変化し、新たなフォーマット、バージョンにより提供される場合がある。これらによりこれら伝送フォーマット、記録媒体のフォーマット、エンコードのフォーマット、コピーガードのフォーマット、ファイルフォーマット、これらのバージョンにより対応するファイルの古さの基準を検出して処理するようにしても、古いファイルを直感的に把握することができる。
【０１１７】
また上述の実施例２にあっては、古さを感じさせるようにフォルダのアイコンを設定することにより、１つのグループに属するファイルの古さをまとめて表示する場合について述べたが、本発明はこれに限らず、例えば図７について上述した光ディスク装置においても、さらにはコンピュータ以外の各種記録再生装置においても、このようなフォルダにより複数フィルムをまとめて管理する場合があることにより、これらの場合に実施例２について上述したフォルダに係るアイコンの設定を適用することができる。なおこの場合、例えば複数の外部機器を接続してファイルの情報を提供する場合には、フォルダに代えて機器の表示に係るアイコンにこの種の処理を適用することができる。
【０１１８】
また上述の実施例にあっては、各種の記録媒体等に記録されたファイルに係る処理に本発明を適用する場合について述べたが、本発明はこれに限らず、記録媒体に記録された複数ファイルのインデックス用のファイルの処理に、本発明を適用するようにしてもよい。なおここでこのインデックス用のファイルは、対象となる複数のファイルに記録された情報を抜粋して、ファイル名、ファイルのリンク情報等と共に１つのファイルにまとめたものである。なおこのようなインデックス用のファイルを処理する場合には、このファイルに記録された情報により古さの基準を検出するようにしてもよい。
【０１１９】
また上述の実施例にあっては、古さの基準により各ファイルを区分して古さを表す場合について述べたが、本発明はこれに限らず、この古さの基準からの時間経過より一次関数、２次関数等を用いた演算処理によりパラメータを設定するようにして、連続的に古さが変化するようにしてもよい。
【０１２０】
また上述の実施例にあっては、単に古いファイルは古く見えるように設定する場合について述べたが、本発明はこれに限らず、例えば期間の経過によりコピーガードによるコピーの禁止が解除された場合に、コピーが制限されるファイルとの間で識別できるように、古さの設定を切り換えるようにしてもよい。なおこの場合、コピー禁止の解除により、それまで古く感じるように表示していた対応ファイルのサムネイル画像等を、古く感じないようにする場合、さらには古く感じさせる処理を切り換える場合等が考えられる。
【０１２１】
また上述の実施例にあっては、コンピュータ、光ディスク装置、記録再生装置に本発明を適用する場合について述べたが、本発明はこれに限らず、各種のファイルを処理する種々の機器に広く適用することができる。
【産業上の利用可能性】
【０１２２】
本発明は、情報提供方法、情報提供装置、情報提供方法のプログラム及び情報提供方法のプログラムを記録した記録媒体に関し、例えばコンピュータにおける画像ファイル等の管理に適用することができる。
【図面の簡単な説明】
【０１２３】
【図１】本発明の実施例１に係るコンピュータにおける中央処理ユニットの処理手順を示すフローチャートである。
【図２】本発明の実施例１に係るコンピュータの構成を示すブロック図である。
【図３】図１の処理によるサムネイル画像の表示例を示す平面図である。
【図４】図１の処理手順により形成される機能ブロック図である。
【図５】本発明の実施例２に係るコンピュータによる処理結果を示す平面図である。
【図６】本発明の実施例３に係るコンピュータによる処理結果を示す平面図である。
【図７】本発明の実施例６に係る光ディスク装置の構成を示すブロック図である。
【図８】図７の光ディスク装置における表示例を示す平面図である。
【図９】本発明の実施例７に係る光ディスク装置による表示例を示す平面図である。
【図１０】本発明の実施例１０に係る音楽ファイルの記録再生装置を示すブロック図である。
【符号の説明】
【０１２４】
１……コンピュータ、３、２５、４３……中央処理ユニット、６、２３……モニタ、１０、２２、４４……ハードディスク装置、５……外部記録媒体、２１……光ディスク装置、２７……光ディスクドライブ、４１……記録再生装置、４２……チェンジャー
【図１】
2006268391.tif 000003
【図２】
2006268391.tif 000004
【図３】
2006268391.tif 000005
【図４】
2006268391.tif 000006
【図５】
2006268391.tif 000007
【図６】
2006268391.tif 000008
【図７】
2006268391.tif 000009
【図８】
2006268391.tif 000010
【図９】
2006268391.tif 000011
【図１０】
2006268391.tif 000012